(57)【要約】【課題】「ぶら下げ基板」等を用いた不正行為を抑制することの可能な遊技機を提供する。【解決手段】パチンコ機１の遊技盤２には、第１種始動口３及び大入賞口４が設けられている。遊技盤２の中央部分には、表示装置８が組込まれている。表示装置８は、液晶ディスプレイ８ａを備え、ここに複数の図柄列が表示される。各図柄列の図柄変動は、遊技球５の第１種始動口３への入賞に基づいて開始させられる。また、大当たり図柄、外れリーチ図柄、外れ図柄の中から１つが選択され、これが停止図柄として設定される。主基板Ｃ及び中継基板間を接続する信号線を、１つに束ねられてなる多芯ケーブルによって構成した。【選択図】          図１
2009090154.tif 000002
【特許請求の範囲】
【請求項１】
所定の契機を検出する検出手段と、
前記検出手段により検出された所定の契機が特定の条件を満たす場合に、遊技者にとって有利となる特別遊技状態を発生させる旨の信号を出力する制御手段を有してなる主基板と、
前記主基板の外部に設けられ、少なくとも前記信号に基づいて駆動制御される動作装置と、
前記検出手段及び前記主基板間、並びに、前記主基板及び前記動作装置間での信号の送信を許容するための複数の信号線と
を備えた遊技機であって、
前記複数の信号線は、前記検出手段及び前記主基板間、並びに、前記主基板及び前記動作装置間の少なくとも一部において、１つに束ねられてなるケーブルによって構成されていることを特徴とする遊技機。
【発明の詳細な説明】
【技術分野】
【０００１】
本発明は、パチンコ機等に代表される遊技機に係り、特に、「ぶら下げ基板」等による不正行為に対処しうる遊技機に関するものである。
【背景技術】
【０００２】
従来、遊技機の一種として、複数種類の図柄等を、予め定められた配列で変動表示するための変動表示装置を備えたパチンコ機が知られている。
【０００３】
この種のパチンコ機では、表示装置での変動表示停止時の表示図柄（停止図柄）に応じて、リーチ状態を経た後に遊技者に有利な状態となる「特別遊技状態（大当たり状態）」、リーチ状態を経た後に特別遊技状態とはならない「外れリーチ状態」、又は、リーチ状態を経ず、かつ、特別遊技状態ともならない「外れ状態」が発生させられる。停止図柄には、特別遊技状態を発生させるための特別遊技図柄、外れリーチを発生させるための外れリーチ図柄、及び、外れ状態を発生させるための外れ図柄がある。
【０００４】
前記のようなパチンコ機では、遊技者の操作に応じて変化する遊技状況が、所定の条件を満たすこと（例えば、遊技球が始動口に入賞したり、始動ゲートを通過したりすることが近接スイッチ等により検出されること）に基づいて、表示装置において、図柄の変動表示が開始される。また、上記特別遊技図柄、外れリーチ図柄、及び、外れ図柄の中から、遊技状況に応じた停止図柄が選択される。そして、その選択された停止図柄で前記変動表示が停止させられる。この場合、停止図柄が予め定められた特定の図柄であると、上述した特別遊技状態が発生させられる。より詳しくは、大入賞口が所定時間開放され、その開放時において、当該大入賞口に遊技球を入賞させることにより、遊技者に対し多くの景品球が払い出される。
【０００５】
このような特別遊技状態の発生の有無は、遊技球が始動口に入賞（又は始動ゲートを通過）したことが検出されるタイミングで決定される。すなわち、パチンコ機の制御装置は、１カウントずつ、定期的に、一定の範囲で（例えば１カウントずつ、「２ｍｓ」毎に、０〜１９９の範囲で）更新するカウンタ（乱数カウンタ）を備えており、遊技球の始動口への入賞等が検出されたときに、そのカウンタの値（乱数値）を読み出す。そして、制御装置は、読み出された乱数値が、予め定められた所定値（例えば「７」）と一致する場合に、特別遊技状態を発生させるようにしている。特別遊技状態が発生すると、大当たりコマンドが、制御装置中の主基板のコネクタに接続された信号線を介して中継基板へと送信され、さらに中継基板のコネクタに接続された信号線を介して、表示装置の表示用基板へと送信される。表示装置では、受信された大当たりコマンドに基づいて変動表示を制御し、変動表示停止時において上記特別遊技図柄を発生させるのである。
【発明の概要】
【発明が解決しようとする課題】
【０００６】
しかしながら、近年、「ぶら下げ基板」と称される不正な基板を使用した不正行為が報告されている。この不正行為は、始動口等に設けられた始動検出手段（近接スイッチ等）と中継基板との間、中継基板と主基板との間、或いは、中継基板と表示装置の表示用基板（他の各種入出力装置の基板でもよい）との間に、不正な基板をぶら下げて（不正な「ぶら下げ基板」を取付けて）、不当に特別遊技状態を発生させるというものである。
【０００７】
より詳しくは、上述した特別遊技状態を決定するためのカウンタと同様の動きをするカウンタ（１カウントずつ、定期的に、一定の範囲で更新されるカウンタ）を「ぶら下げ基板」内に設け、そのカウンタの値をパチンコ機の電源投入に合わせて「０」にクリヤ（初期化）することにより、「ぶら下げ基板」内で特別遊技状態の発生タイミングを把握するのである。そして、その把握した大当たりの発生タイミングに合わせて、「ぶら下げ基板」内で遊技球の始動口への入賞信号（又は通過信号）を不正に生成し、前記主基板へ出力して、不当に特別遊技状態を発生させるのである。
【０００８】
ところで、従来では、近接スイッチと中継基板との間、中継基板と主基板との間、或いは、中継基板と他の各種入出力装置の基板との間には、多種多様にわたる信号を送受信するための複数の信号線が介設されている。上述した「ぶら下げ基板」は、一部の信号線を外した状態で、中継基板に直接取付けられるか、或いは、信号線の一部を断線させた上で信号線の途中に取付けられるのが一般的であり、かかる取付はパチンコ機に関する知識をもった者にとっては比較的容易に行うことができるものであった。
【０００９】
しかも、従来では、遊技盤の裏面側においては、上述した信号線が複雑に配設されていた。このため、仮に「ぶら下げ基板」が取付けられたとしても、該「ぶら下げ基板」が複雑に配設された信号線に紛れるようにして隠されることにより、「ぶら下げ基板」を発見することが困難となってしまうケースもあった。このように、従来では、「ぶら下げ基板」を用いた不正行為により、多大な被害を被っているという問題があり、しかも、その不正行為の発見も容易ではなかった。
【００１０】
本発明は、上述した問題に鑑みてなされたものであって、その目的は、「ぶら下げ基板」等を用いた不正行為を抑制することができ、しかも、当該不正行為を容易に発見することの可能な遊技機を提供することにある。
【課題を解決するための手段】
【００１１】
上記の目的を達成するため、請求項１に記載の発明においては、所定の契機を検出する検出手段と、前記検出手段により検出された所定の契機が特定の条件を満たす場合に、遊技者にとって有利となる特別遊技状態を発生させる旨の信号を出力する制御手段を有してなる主基板と、前記主基板の外部に設けられ、少なくとも前記信号に基づいて駆動制御される動作装置と、前記検出手段及び前記主基板間、並びに、前記主基板及び前記動作装置間での信号の送信を許容するための複数の信号線とを備えた遊技機であって、
前記複数の信号線は、前記検出手段及び前記主基板間、並びに、前記主基板及び前記動作装置間の少なくとも一部において、１つに束ねられてなるケーブルによって構成されていることをその要旨としている。
【００１２】
（作用）
上記請求項１に記載の遊技機によれば、検出手段により検出された所定の契機が特定の条件を満たす場合に、主基板に設けられた制御手段によって、遊技者にとって有利となる特別遊技状態を発生させる旨の信号が出力される。また、主基板の外部に設けられた動作装置は、少なくとも前記信号に基づいて駆動制御される。さらに、検出手段及び主基板間、並びに、主基板及び動作装置間での信号の送信は複数の信号線によって許容される。
【００１３】
さて、本発明では、前記複数の信号線は、検出手段及び主基板間、並びに、主基板及び動作装置間の少なくとも一部において、１つに束ねられてなるケーブルによって構成されている。このため、「ぶら下げ基板」を所定の信号線の途中等に不正に介設しようとしても、その信号線の識別が困難であるとともに、仮に、信号線を識別できたとしても「ぶら下げ基板」の取付は困難となる。また、たとえ「ぶら下げ基板」を取付けたとしても、信号線が１つに束ねられていることで、当該「ぶら下げ基板」を隠すことが困難となり、容易に視認されうる。
【発明の効果】
【００１４】
以上詳述したように、本発明の遊技機によれば、「ぶら下げ基板」等を用いた不正行為を抑制することができ、しかも、当該不正行為を容易に発見することができるという優れた効果を奏する。
【図面の簡単な説明】
【００１５】
【図１】一実施の形態におけるパチンコ機を示す正面図である。
【図２】パチンコ機の主基板等の電気的構成を示すブロック図である。
【図３】多芯ケーブル等を示す斜視図である。
【図４】多芯ケーブルの断面図である。
【図５】多芯ケーブルの一方のコネクタと主基板との取付関係を示す側面図である。
【図６】多芯ケーブルの他方のコネクタと中継基板との取付関係を示す側面図である。
【発明を実施するための形態】
【００１６】
以下に、本発明における遊技機を、第１種始動口付パチンコ遊技機（以下、単に「パチンコ機」という）に具体化した一実施の形態を、図面に基づいて詳細に説明する。
【００１７】
図１に示すように、パチンコ機１の遊技盤２には、第１種始動口３及び大入賞口４が設けられている。第１種始動口３は、遊技球５の通路を備えており、その通路入口には羽根６が開閉可能に支持されている。
【００１８】
また、大入賞口４の前には、シャッタ７が設けられている。このシャッタ７は、大入賞口４の側部に設けられた大入賞口用ソレノイドにより作動させられ、大入賞口４を開閉する。詳しくは、当該ソレノイドが励磁状態となることにより、シャッタ７が略水平に傾き、これにより大入賞口４が開かれる。また、ソレノイドが非励磁状態となることにより、シャッタ７が略垂直状態となり、これにより大入賞口４は閉鎖される。
【００１９】
遊技盤２の中央部分（大入賞口４の上方）には、特別図柄表示装置（以下、単に「表示装置」という）８が組込まれている。表示装置８は、液晶（ＬＣＤ）ディスプレイ８ａを備えており、ここに複数の（例えば３つの）図柄列が表示される。図柄列は、基本的には、複数種類の図柄によって構成されている。これらの図柄は、特別遊技図柄としての大当たり図柄、外れリーチ図柄及び外れ図柄のいずれかになりうる。
【００２０】
表示装置８のＬＣＤディスプレイ８ａでは、各図柄列の図柄変動（回転変動）が、遊技球５の第１種始動口３への入賞に基づいて開始させられる。また、大当たり図柄、外れリーチ図柄、外れ図柄の中から１つが選択され、これが停止図柄として設定される。停止図柄とは、各図柄列が図柄変動を停止したときに表示される図柄である。
【００２１】
大当たり図柄は、いわゆるリーチ状態を経た後、遊技者に有利な大当たり状態（特別遊技状態）を発生させるための図柄である。詳しくは、全ての図柄列の変動が停止させられたとき、表示されている図柄の組合せが、予め定められた大当たりの組合せ、すなわち、同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、特別電動役物が作動し（所定時間（又は所定個数入賞するまで）、所定回数だけ大入賞口４が開かれ）、遊技者にとって有利な大当たり状態が到来する。すなわち、遊技者は、開放されている大入賞口４に遊技球５を多数入賞させることにより、より多くの景品球を獲得することが可能となる。
【００２２】
表示装置８において、ＬＣＤディスプレイ８ａの上方には、発光ダイオード（ＬＥＤ）からなる保留ランプ９ａ，９ｂ，９ｃ，９ｄが組み込まれている。保留ランプ９ａ〜９ｄは、基本的には第１種始動口３への入賞に基づく変動表示の保留毎に点灯させられ、その保留に対応した変動表示の実行に伴い消灯させられる。さらに、パチンコ機１には、遊技の進行に応じて効果音を発生する図示しないスピーカーが設けられている。
【００２３】
このほかにも、パチンコ機１の複数箇所には、遊技効果を高めるための各種ランプが取付けられている。これらのランプは、例えば風車ランプ、上部コーナー飾り、下部コーナー飾り等からなり、遊技の進行に応じて点灯状態（消灯、点灯、点滅等）が適宜変えられるようになっている。
【００２４】
本実施の形態では、遊技者の操作に応じて変化するパチンコ機１の遊技状態を検出するべく、遊技盤２には、始動口用の近接スイッチ１９をはじめとする種々の検出スイッチが取付けられている。始動口用の近接スイッチ１９は、遊技球５の第１種始動口３への入賞を検出するためのものである。
【００２５】
また、本実施の形態では、近接スイッチ１９等の各種検出スイッチの検出結果に基づき、ソレノイドや、表示装置８、各保留ランプ９ａ〜９ｄ、各種ランプ、スピーカ等をそれぞれ駆動制御するための制御手段を備えてなる主基板Ｃが設けられている。この主基板Ｃは、パチンコ機１の裏側の図示しない基板ボックス内に封印されており、その封印を開封しなければ、外部操作（例えば後述するＲＯＭ２２等を取り外すこと）ができないようになっている。さらに、図２に示すように、パチンコ機１の裏側の前記基板ボックスとは異なる部位には、中継基板Ｎが設けられている。
【００２６】
主基板Ｃは、演算手段である中央処理装置（ＣＰＵ）２１と、各種制御プログラム等を記憶した読み出し専用メモリ（ＲＯＭ）２２と、各種データ等を記憶するためのランダムアクセスメモリ（ＲＡＭ）２３とを備えている。ＲＡＭ２３には、コマンドバッファとコマンドカウンタとが設けられている。コマンドバッファは、各種制御データを一時的に記憶するためのバッファである。コマンドカウンタは、表示装置８等の各種出力装置（周辺装置）へ送信される制御データの番号を示すカウンタである。コマンドバッファに書き込まれた制御データは、１回のタイマ割込処理により１バイトずつ表示装置８等の各種出力装置へ送信されるが、その送信される制御データの番号を示すものがコマンドカウンタである。
【００２７】
また、ＲＡＭ２３は、大当たりの発生を決定するための乱数カウンタをも備えている。この乱数カウンタは、ＣＰＵ２１により実行される乱数更新処理により、所定（例えば「０」〜「１９９」）の範囲で、例えば２ｍｓ毎に、１カウントずつ更新される。本実施の形態では、乱数カウンタの値が例えば「７」であるときに、遊技球５が第１種始動口３に入賞することに基づいて、大当たり状態が発生させられるようになっている。
【００２８】
これらのＣＰＵ２１、ＲＯＭ２２、ＲＡＭ２３は、バスライン２４を介して互いに接続されている。バスライン２４は、また、入出力ポート２５にも接続されている。この入出力ポート２５は、コネクタ３１，４０及び信号線３２，３９を介して、中継基板Ｎのコネクタ３３，３８と接続されている。また、中継基板Ｎの別のコネクタ３４は、信号線３５及びコネクタ３６を介して表示装置８等の各種出力装置と接続されている。また、中継基板Ｎのさらに別のコネクタ３７は、信号線２０を介して、前記近接スイッチ１９等に接続されている。すなわち、主基板Ｃは、近接スイッチ１９等から、中継基板Ｎ、入出力ポート２５を介して入力される入賞信号等に基づいて、入出力ポート２５、中継基板Ｎを介して表示装置８等の各種出力装置へ、制御データ等の各種の動作信号（動作コマンド）を送って、各装置を駆動制御するのである。
【００２９】
次に、本実施の形態の特徴的部分について説明する。
【００３０】
図３、４に示すように、主基板Ｃ及び中継基板Ｎ間を接続する信号線３２、並びに、中継基板Ｎ及び各種出力装置間を接続する信号線３５は多数本（例えば２０本以上）からなっており、このうち、特に主基板Ｃ及び中継基板Ｎ間を接続する信号線３２は、１つに束ねられてなる多芯ケーブルＫによって構成されている。より詳しくは、多芯ケーブルＫは、透明で、可撓性のある樹脂材料よりなるチューブ４１と、その内部の信号線３２と、チューブ４１の両端縁及びそこから延出された信号線３２の一部を括るための透明な熱収縮チューブ４２とを備えている。熱収縮チューブ４２は、熱が加えられることにより収縮したチューブであって、当該収縮により、信号線３２の端部を束ねて保護するとともに、外部からの異物の進入等を防ぐようになっている。また、図５，６に示すように、信号線３２の両端縁にはコネクタ３１，３３が取着されている。特に、本実施の形態における中継基板Ｎ側のコネクタ３３は、ボードインタイプのものが採用されており、中継基板Ｎに対し直接半田付けがなされている。これにより、中継基板Ｎからコネクタ３３を抜いたり差し込んだりすることが容易にはできないようになっている。
【００３１】
以上詳述したように、本実施の形態によれば、主基板Ｃ及び中継基板Ｎ間を接続する信号線３２を、１つに束ねられてなる多芯ケーブルＫによって構成することとした。このため、信号線３２のうち、所定の信号線の途中等に「ぶら下げ基板」を不正に介設しようとしても、その信号線の識別が困難であるとともに、仮に信号線を識別できたとしても、「ぶら下げ基板」の取付は困難となる。また、中継基板Ｎに「ぶら下げ基板」を取付けようとしても、中継基板Ｎ側のコネクタ３３は、ボードインタイプのものが採用されており、中継基板Ｎからコネクタ３３を抜いたり差し込んだりすることが容易にはできない。これらのことから、「ぶら下げ基板」による不正行為の抑制を図ることができる。
【００３２】
また、本実施の形態では、たとえ「ぶら下げ基板」を取付けたとしても、信号線３２が１つに束ねられていることから、信号線３２がすっきりとしたものとなり（簡素化が図られ）、当該「ぶら下げ基板」を隠すことが困難となり、外部から容易に視認されうる。その結果、「ぶら下げ基板」の取付を比較的容易に発見することができ、ひいては、遊技場等における損害を最小限にとどめることができる。
【００３３】
さらに、本実施の形態では、信号線３２を多芯ケーブルＫという比較的入手しやすく、かつ、多数の信号線３２をまとめやすいもので構成した。従って、上記作用効果がより確実に、しかも低コストで奏せしめることができる。
【００３４】
尚、本発明は上述した実施の形態の記載内容に限定されるものではなく、従って、発明の趣旨を逸脱しない範囲で、例えば次のように実施してもよい。
【００３５】
（ａ）上記実施の形態では、信号線３２を多芯ケーブルＫによって構成することとした。これに対し、信号線が１つに束ねられてなるケーブルによって構成されていれば、他のケーブルを採用してもよい。他のケーブルとしては、例えばフレキシブルプリントサーキット（ＦＰＣ）ケーブル等が挙げられる。当該ＦＰＣケーブルについても、不正発見を容易ならしめるためには、透明タイプであることが望ましい。
【００３６】
（ｂ）上記実施の形態では、主基板Ｃ及び中継基板Ｎ間を接続する信号線３２を、１つに束ねられてなる多芯ケーブルＫによって構成することとした。これに対し、他の信号線３５，３９，２０等についても、同様の構成としてもよい。
【００３７】
（ｃ）上記実施の形態における中継基板Ｎを省略して、主基板Ｃと各種出力装置との間を直接信号線で接続する構成としてもよい。要するに、近接スイッチ１９等の検出手段及び主基板Ｃ間、並びに、主基板Ｃ及び各種出力装置間の少なくとも一部における信号線が、１つに束ねられてなるケーブルによって構成されていればよい。
【００３８】
（ｄ）上記実施の形態における信号線３２，３５，３９，２０の一部又は全部を、光ファイバーケーブル等の電気信号以外の信号を送信しうるものにより構成してもよい。特に、近接スイッチ１９と主基板Ｃとの間を結ぶ信号線について、上記のような構成を採用するのが望ましい。このような構成とすることで、「ぶら下げ基板」を所定の信号線の途中等に不正に介設しようとしても、当該「ぶら下げ基板」が電気信号を送信するものである限り、信号の送信ができない。また、仮に、電気信号以外の信号（光信号）を送信できたとしても特別遊技状態を発生させうる特定の条件を満たす（乱数カウンタの値を所定値と一致させる）ことは非常に困難となる。その結果、不正行為の抑制を図ることができる。しかも、不正の発見が容易となる。また、光ファイバーケーブルにより構成した場合、上記作用効果が比較的低コストで奏されることとなる。
【００３９】
（ｅ）上記実施の形態では、中継基板Ｎ側のコネクタ３３として、ボードインタイプのものを採用することとしたが、必ずしもそのような構成としなくてもよく、通常のコネクタを用いてもよい。
【００４０】
（ｆ）本発明は、上記実施の形態とは異なるタイプの（第１種始動口付パチンコ機以外の）パチンコ機にも適用できる。従って、例えば第３種パチンコ機にも応用できる。また、本発明は、パチンコ機以外にも、他のアレパチ、アレンジボール等の遊技機にも応用可能である。
【００４１】
（ｇ）上記実施の形態で例示した各種出力装置以外の他の出力装置を有する遊技機にも具体化できる。例えば、上記実施の形態では、表示装置８にＬＣＤディスプレイ８ａを備えたパチンコ機１に本発明を適用したが、ＬＣＤディスプレイ８ａ以外にも、ＣＲＴ、ドットマトリックスＬＥＤ、エレクトロルミネッセンス（ＥＬ）、蛍光表示管、回転ドラム等を備えた表示装置としてもよい。
【００４２】
特許請求の範囲の請求項に記載されないものであって、上記実施の形態から把握できる技術的思想について以下に記載する。
【００４３】
（１）遊技機において、前記制御手段は、乱数カウンタの値を更新する更新手段と、前記検出手段により検出された所定の契機に基づき前記乱数カウンタの値を読み出す読出手段と、その読出手段により読み出された前記乱数カウンタの値が予め定められた値の１つと一致する場合に、遊技者に対し所定の条件下で遊技者に有利な特別遊技状態を発生せしめる特別遊技状態発生手段とを備えていることを特徴とする。
【００４４】
（２）遊技機において、前記検出手段及び前記主基板間、並びに、前記主基板及び前記動作装置間の少なくとも一部には、中継基板が設けられていることを特徴とする。
【符号の説明】
【００４５】
１…遊技機としてのパチンコ機、２…遊技盤、３…第１種始動口、４…大入賞口、５…遊技球、８…表示装置、１９…近接スイッチ、２１…ＣＰＵ、２２…ＲＯＭ、２３…ＲＡＭ、３２，３５，３９，２０…信号線、Ｋ…多芯ケーブル、Ｃ…主基板、Ｎ…中継基板。
【図１】
2009090154.tif 000003
【図２】
2009090154.tif 000004
【図３】
2009090154.tif 000005
【図４】
2009090154.tif 000006
【図５】
2009090154.tif 000007
【図６】
2009090154.tif 000008